(57)【要約】【課題】バッテリの出力電圧の変化に伴い生じ得る耳障りな不快音の発生を低減する。【解決手段】電気掃除機（１）のデューティ決定部（２３２）は、電動送風機（２４）のモータ（２４１）の回転数が、第１の回転数以上である高回転領域と、前記第１の回転数より小さい第２の回転数以下である低回転領域の範囲内になるように、ＰＷＭ制御されたパルス電圧を発生するパルス発生部（２３１）を制御する。【選択図】図２
2020178915.tif 000002
【特許請求の範囲】
【請求項１】
モータを有する電動送風機と、
バッテリと、
前記バッテリからの出力をＰＷＭ制御して前記モータに供給する制御部と、
前記モータの回転数を検出する回転数検出部とを備え、
前記制御部には、前記ＰＷＭ制御されたパルス電圧を発生するパルス発生部と、
前記回転数検出部からの前記回転数を示す信号を参照してパルスデューティを決定し、前記パルス発生部を制御するデューティ決定部と、が設けられ、
前記デューティ決定部は、前記モータの回転数が、第１の回転数以上である高回転領域と、前記第１の回転数より小さい第２の回転数以下である低回転領域の範囲内になるように前記パルス発生部を制御することを特徴とする電気掃除機。
【請求項２】
前記デューティ決定部は、
前記モータの回転数が前記高回転領域内となるように前記パルス発生部を制御し、
前記バッテリの出力電圧の低下に伴って、前記モータの回転数が前記第１の回転数以上を保てなくなった場合に、前記モータの回転数が前記低回転領域内となるように前記パルス発生部を制御することを特徴とする、請求項１に記載の電気掃除機。
【請求項３】
前記デューティ決定部は、
前記高回転領域内の制御から、前記低回転領域内の制御への移行を、
前記モータの回転数が徐々に変化するように前記パルス発生部を制御して実行することを特徴とする、請求項２に記載の電気掃除機。
【請求項４】
前記デューティ決定部は、前記モータの回転数が一定値となるように前記パルス発生部を制御するとともに、前記バッテリの出力電圧の低下に伴って、前記モータの回転数が前記一定値を保てなくなった場合に、前記モータの回転数が前記一定値よりも低い他の一定値となるように前記パルス発生部を制御することを特徴とする請求項１から３のいずれか１項に記載の電気掃除機。
【請求項５】
前記デューティ決定部は、パルスデューティが一定値となるように前記パルス発生部を制御するとともに、前記バッテリの出力電圧の低下に伴って、前記モータの回転数が前記第１の回転数以上を保てなくなった場合に、前記モータの回転数が前記低回転領域内となる、パルスデューティが前記一定値よりも低い他の一定値となるように前記パルス発生部を制御することを特徴とする請求項１から３のいずれか１項に記載の電気掃除機。
【請求項６】
前記モータの回転数の制御目標が、前記第１の回転数以上である強モードと、前記第２の回転数以下である弱モードとを有しており、
前記強モードまたは前記弱モードを指示するユーザ操作を受け付けて、前記デューティ決定部に伝達する操作部を更に備えることを特徴とする、請求項１から５のいずれか１項に記載の電気掃除機。
【発明の詳細な説明】
【技術分野】
【０００１】
本発明は、バッテリを備えた電気掃除機に関する。
【背景技術】
【０００２】
電動掃除機には、空気と共に塵埃を吸引し集塵部に集めるための電動送風機が設けられている。電動送風機による吸引力を制御するために、電動送風機のモータの回転数を制御することが行われている。
【先行技術文献】
【特許文献】
【０００３】
【特許文献１】特許第４６７９３０８号公報
【発明の概要】
【発明が解決しようとする課題】
【０００４】
電動送風機のモータは、毎分数千回転以上の高速で回転する。そのため、特定の回転数域においては、モータが共振による耳障りな不快音を発生する。そこで従来、不快音を発生する帯域を避けて電動送風機のモータの回転数が設定されていた。特許文献１のような従来技術では、電動掃除機の電源として商用交流を用いているので、電源電圧は変動しない。よって、設定した値からモータの回転数から大きく変動してしまうことは無く、不快音が発生してしまう事態には至らなかった。
【０００５】
しかし、コードレス電気掃除機のように、バッテリを電動送風機の電源として用いる場合には、放電に従ってバッテリの出力電圧が減少する。このようなバッテリの出力電圧変化は、モータの回転数の変動をもたらすことになる。すると、満充電の状態では不快音を発生するような回転数域を避けていた場合であっても、出力電圧の低下に伴って耳障りな不快音を発生することがあった。
【０００６】
本発明の一態様は、バッテリを電動送風機の電源として用いる電気掃除機において、バッテリの出力電圧の変化に伴い生じ得る耳障りな不快音の発生を低減できる電気掃除機を実現することにある。
【課題を解決するための手段】
【０００７】
上記の課題を解決するために、本発明の一態様に係る電気掃除機は、モータを有する電動送風機と、バッテリと、前記バッテリからの出力をＰＷＭ（Pulse Width Modulation）制御して前記モータに供給する制御部と、前記モータの回転数を検出する回転数検出部とを備え、前記制御部には、前記ＰＷＭ制御されたパルス電圧を発生するパルス発生部と、前記回転数検出部からの前記回転数を示す信号を参照してパルスデューティを決定し、前記パルス発生部を制御するデューティ決定部と、が設けられ、前記デューティ決定部は、前記モータの回転数が、第１の回転数以上である高回転領域と、前記第１の回転数より小さい第２の回転数以下である低回転領域の範囲内になるように前記パルス発生部を制御する構成を備えている。
【発明の効果】
【０００８】
本発明の一態様によれば、バッテリを電動送風機の電源として用いる電気掃除機において、バッテリの出力電圧の変化に伴い生じ得る耳障りな不快音の発生を低減できる電気掃除機が実現できる。
【図面の簡単な説明】
【０００９】
【図１】実施形態１に係る電動掃除機を斜め後方から視た斜視図である。
【図２】実施形態１に係る電動掃除機の構成を示すブロック図である。
【図３】実施形態１に係る電動掃除機の動作例を示すタイムチャートである。
【図４】実施形態２に係る電動掃除機の動作例を示すタイムチャートである。
【図５】実施形態３に係る電動掃除機の構成を示すブロック図である。
【図６】実施形態３に係る電動掃除機の動作例を概念的に示すタイムチャートである。
【発明を実施するための形態】
【００１０】
〔実施形態１〕
以下、本発明の一実施形態について、図１〜３を用いて詳細に説明する。
【００１１】
（電気掃除機の全体形状）
図１は、実施形態１に係る電気掃除機１を斜め後方から視た斜視図である。電気掃除機１はいわゆるスティックタイプのコードレス掃除機であり、一方の側（上側）に電動送風機収容部１４や集塵部１５を備え、他方の端部（下端）に吸込口体１９を備える。電動送風機収容部１４の下方に集塵部１５が直接接続される。集塵部１５は、電動送風機収容部１４の側のフィルタ収納部１５１と、反対側の集塵容器１５２とからなる。
【００１２】
ここで、ユーザが床面の掃除を行うために電気掃除機１を使用する場面における、電気掃除機１の長軸に沿って床面側の方向を下、その逆の方向を上としている。また、ユーザが電気掃除機１を押すときに進む方向を前方、引くときに進む方向を後方とする。
【００１３】
電気掃除機１の上端はハンドル１２である。電気掃除機１の前方にはハンドル１２から下方に向けて連続した部分である駆動装置収容部１３、吸引管部１６が続いている。駆動装置収容部１３の後方には、電動送風機収容部１４が位置する。吸引管部１６の後方には集塵部１５が位置する。バッテリユニット１１が電動送風機収容部１４の後方に脱着可能に接続されている。
【００１４】
集塵部１５は吸引管部１６に連結され、吸引管部１６と吸込口体１９とが延長管１７を介して連通連結されている。
【００１５】
吸込口体１９は、床面上を前後方向に走行する吸込口本体１９３と、その上側の関節部１９２、更にその上側の管状接続部１９１とから構成される。吸込口本体１９３には底部（下側）に吸込口１９４が設けられている。吸込口体１９は、吸込口１９４近傍に回転可能に設けられた回転ブラシ１９５を有している。吸込口本体１９３は、関節部１９２と管状接続部１９１を通じて延長管１７に連通連結されている。
【００１６】
（電気掃除機の機能ブロック）
図２は、実施形態１に係る電気掃除機１の機能ブロックを示したブロック図である。図示されるように、電気掃除機１は、バッテリ２０、駆動用電源回路２１、制御用電源回路２２、制御部２３、電動送風機２４、回転数検出部２５、操作部２６を備えている。制御部２３には、少なくともパルス発生部２３１とデューティ決定部２３２とが設けられている。電動送風機２４には、モータ２４１とファン２４２とが設けられている。
【００１７】
バッテリ２０は、バッテリユニット１１の内部に収容されている。バッテリ２０は、電気掃除機１全体に電力を供給する２次電池である。バッテリ２０の出力は駆動用電源回路２１を通じてパルス発生部２３１に供給される。駆動用電源回路２１は、バッテリ２０の出力電圧を適正な電圧に変換してパルス発生部２３１に供給するための回路である。
【００１８】
また、バッテリ２０の出力は制御用電源回路２２を通じて制御部２３に供給される。制御用電源回路２２は、制御部２３のデューティ決定部２３２等の、比較的低電圧で動作する回路部分に対して、バッテリ２０からの出力電圧を変換して供給するための回路である。
【００１９】
制御部２３は、駆動装置収容部１３の内部に収容されている。パルス発生部２３１は、バッテリ２０からの直流出力を基に、ＰＷＭ制御されたパルス電圧を発生して電動送風機２４のモータ２４１に供給する回路である。パルス発生部２３１は、入力された直流電圧をスイッチング素子によりオン／オフしてチョッピングを行い、ＰＷＭ制御されたパルス電圧を発生する。パルスデューティ（デューティ比）が一定である場合、パルス発生部２３１の出力するパルス電圧はバッテリ２０からの出力電圧に依存して変動する。パルス発生部２３１の出力するパルスのパルスデューティ（デューティ比）は、デューティ決定部２３２により制御される。
【００２０】
電動送風機２４は、電動送風機収容部１４の内部に収容されている。電動送風機２４のモータ２４１によりファン２４２が駆動され、回転数に応じ、塵埃を吸い込むための吸引力が発生する。電動送風機２４のモータ２４１は直流モータであり、その回転数はパルス発生部２３１の出力するパルスの平均電圧に依存する。なお、パルス発生部２３１と電動送風機２４のモータ２４１の間に、平滑回路が設けられていてもよい。
【００２１】
回転数検出部２５は、モータ２４１の回転数を検出し、当該回転数を示す信号をデューティ決定部２３２に出力する。回転数検出部２５は、磁気あるいは光学センサを備え、回転数を直接検出するものであって良い。あるいは、モータ２４１を流れる電流波形を検出することにより回転数を検出するものであって良い。あるいはモータ２４１の温度により間接的に回転数を検出するものであってもよい。
【００２２】
デューティ決定部２３２は、回転数検出部２５からの回転数を示す信号を参照して、パルス出力のパルスデューティ（デューティ比）を決定し、パルス発生部２３１にパルス出力を発生させるＰＷＭ制御を実行する。デューティ決定部２３２は、回転数検出部２５を通じてモータ２４１の回転数をフィードバック制御することが可能である。
【００２３】
駆動装置収容部１３の前面に設けられる操作部２６（図１に不図示）には、電気掃除機１運転時の吸引力を強または弱に変更するための、ユーザが操作するスイッチが設けられている。操作部２６は、ユーザの操作に応じて、強モードまたは弱モードが選択されていることを示す信号を、デューティ決定部２３２に伝達する。デューティ決定部２３２は、当該信号に基づいて、電動送風機２４のモータ２４１の回転数の目標値を調整し得る。
【００２４】
なお電気掃除機１が、このような吸引力のモードの切り替え機能を備えていることは必須では無く、その場合操作部２６は無くても構わない。またその場合、電気掃除機１は、上記強モードのみで動作することと同義となる。
【００２５】
（電気掃除機の動作）
図３は、電気掃除機１の実施形態１の動作例を示すタイムチャートである。図において、電動送風機２４のモータ２４１の回転数と、パルス発生部２３１の出力するパルスのパルスデューティ（デューティ比）が示されている。以下においては、電気掃除機１が強モードに設定されているものとする。
【００２６】
図３に、電動送風機２４のモータ２４１の回転数の範囲が、７１０００ｒｐｍを超え７５０００ｒｐｍ未満である領域を記号Ｚで示す。この領域Ｚは、実施形態１の電気掃除機１において、電動送風機２４のモータ２４１が不快音を発生させる回転数の範囲である。制御部２３は、回転数が、７５０００ｒｐｍ（第１の回転数）以上である高回転領域Ｈと、７１０００ｒｐｍ（第２の回転数）以下である低回転領域Ｌの範囲内になるように、以下の通り電動送風機２４のモータ２４１の回転数制御を行う。
【００２７】
最初の期間Ｔ１の開始時において、バッテリ２０は満充電状態であるとする。当初の回転数の目標値は７７０００ｒｐｍであり、当該回転数となるように、デューティ決定部２３２はパルスデューティ（デューティ比）を調整し、図３の例では８１％と決定する。
【００２８】
期間Ｔ１の間、バッテリ２０の放電に従いバッテリ２０からの出力電圧が低下すると、パルスデューティ（デューティ比）が当初の８１％のままであればパルス発生部２３１の出力するパルスのパルス電圧は低下する。しかし、デューティ決定部２３２は、回転数を維持するようにフィードバック制御を実行する。電気掃除機１の吸引力を一定に維持するためである。パルスの平均電圧の低下を補うためデューティ決定部２３２はパルスデューティ（デューティ比）を徐々に増大させる。
【００２９】
パルスデューティ（デューティ比）の値には最大値が設定されており、実施形態１においては例示として９０％とする。最大値はモータや電池、筐体の構成などに応じて安全性を担保するためのものである。最大値が１００％となることもあり得る。パルスデューティ（デューティ比）を徐々に増大させた結果、パルスデューティ（デューティ比）が最大値に達すると、もはやそれ以上続けて、回転数７７０００ｒｐｍを維持できない（期間Ｔ１の終了）。
【００３０】
すると、デューティ決定部２３２は、次の目標回転数を、当初の目標回転数である７７０００ｒｐｍよりも低下した値である７６０００ｒｐｍに再設定し、パルスデューティ（デューティ比）を徐々に低下させる（期間Ｔ２）。回転数検出部２５の検出した回転数が、再設定した目標回転数の７６０００ｒｐｍになると、デューティ決定部２３２は、当該回転数を維持するようにフィードバック制御を実行する（期間Ｔ３の開始）。
【００３１】
期間Ｔ３においても、期間Ｔ１と同様に、デューティ決定部２３２は、パルスの平均電圧の低下を補うためパルスデューティ（デューティ比）を徐々に増大させる。パルスデューティ（デューティ比）が最大値の９０％に達すると、もはやそれ以上続けて、回転数７６０００ｒｐｍを維持できない（期間Ｔ３の終了）。
【００３２】
すると、デューティ決定部２３２は、その次の目標回転数を更に低下した値７５０００ｒｐｍに再設定する。デューティ決定部２３２はパルスデューティ（デューティ比）を徐々に低下させる（期間Ｔ４）。回転数検出部２５の検出した回転数が再設定した目標回転数の７５０００ｒｐｍになると、デューティ決定部２３２は、当該回転数を維持するようにフィードバック制御を実行する（期間Ｔ５の開始）。
【００３３】
期間Ｔ５においても、期間Ｔ１と同様に、デューティ決定部２３２は、パルスの平均電圧の低下を補うためパルスデューティ（デューティ比）を徐々に増大させる。パルスデューティ（デューティ比）が最大値の９０％に達すると、もはやそれ以上続けて、回転数７５０００ｒｐｍを維持できない（期間Ｔ５の終了）。
【００３４】
回転数７５０００ｒｐｍは、高回転領域Ｈの下限であるから、これよりも回転数がやや低い値に目標回転数を設定すると、耳障りな不快音が発生してしまう。従ってデューティ決定部２３２は、次に目標回転数を低回転領域Ｌの上限の、７１０００ｒｐｍに設定する。デューティ決定部２３２はパルスデューティ（デューティ比）を低下させる（期間Ｔ６）。回転数検出部２５の検出した回転数が７１０００ｒｐｍになると、当該回転数を維持するようにフィードバック制御を実行する（期間Ｔ７の開始）。
【００３５】
デューティ決定部２３２は、耳障りな不快音が発生する回転数の領域Ｚにおいてパルスデューティ（デューティ比）を低下させるにあたり、回転数の急激な変化によってユーザの違和感が生じることを抑制するため、パルスデューティ（デューティ比）を徐々に低下させる。例えば、０．３秒毎にパルスデューティ（デューティ比）を０．１％ずつ下げるようにすればよい。しかし、領域Ｚにおける不快音の発生期間をできるだけ短くするため、パルスデューティ（デューティ比）を急激に低下させることも可能である。
【００３６】
実施形態１に係る電気掃除機１によれば、バッテリ２０の出力電圧の変動に係わらず、電動送風機２４のモータ２４１から耳障りな不快音が発生することを低減できる。従って使用するユーザの不快感が抑制された、バッテリにより駆動される電気掃除機１を実現することができる。
【００３７】
更に、バッテリ２０の出力電圧の低下に伴いステップ状に電動送風機２４のモータ２４１の回転数を低下させつつも、できる限り一定の強い吸引力を発揮し得る制御を行う電気掃除機１を実現することができる。
【００３８】
（付記事項）
電気掃除機１が、吸引力のモードの切り替え機能を備えている場合には、バッテリ２０の放電に伴う電圧低下の無い初期状態における目標回転数が、次のように設定されることが望ましい。強モードでの目標回転数は高回転領域Ｈの下限値（第１の回転数）よりも高い回転数に、弱モードでの目標回転数は低回転領域Ｌ内に設定する。
【００３９】
吸引力の高い強モードでユーザが電気掃除機１を使用していると、図３に示されたようにバッテリ２０の出力電圧の低下に伴い、制御部２３が一定値であるようにフィードバック制御する目標の回転数が徐々に低下する。実施形態１において、耳障りな不快音が発生する回転数の範囲（領域Ｚ）を７１０００ｒｐｍを超えて７５０００ｒｐｍ未満の範囲としている。しかし、ユーザによって不快音と感じる回転数の範囲の広狭が異なる。敏感なユーザであれば、例えば回転数が７５０００ｒｐｍである際にも不快感を持ったり、あるいは電気掃除機１になんらかの異常が発生していると感じる可能性がある。
【００４０】
このような場合、ユーザは、操作部２６を操作して、不快もしくは異常を感じる状態を解消しようと試みる。その結果、吸引力のモード切り替えにより、弱モードが選択され、不快もしくは異常を感じる状態が解消される。すると違和感が解消されて、ユーザは電気掃除機１の使用を継続する。
【００４１】
このように、一定の回転数の領域を回避する構成に加えて、吸引力のモードの切り替え機能を備えていることにより、不快音に対して敏感なユーザの違和感をも解消し得るように作用し得る。
【００４２】
〔実施形態２〕
本発明の他の実施形態について、以下に説明する。なお、説明の便宜上、上記実施形態にて説明した部材と同じ機能を有する部材については、同じ符号を付記し、その説明を繰り返さない。以下の実施形態についても同様である。
【００４３】
実施形態２に係る電気掃除機の構成は、図１及び図２に示された実施形態１の電気掃除機１と同じである。実施形態２は、デューティ決定部２３２が設定する回転数の目標値の定め方が実施形態１とは異なる事例である。
【００４４】
図４は、実施形態２における、電気掃除機１の動作を説明するためのタイムチャートである。以下においては、電気掃除機１が強モードに設定されているものとする。
【００４５】
最初の期間Ｔ１の開始時において、バッテリ２０は満充電状態であるとする。当初の回転数の目標値は７７０００ｒｐｍであり、当該回転数となるように、デューティ決定部２３２は、パルスデューティ（デューティ比）を８１％と決定する。
【００４６】
期間Ｔ１の間、デューティ決定部２３２は期間Ｔ１の当初のパルスデューティ（デューティ比）を維持するようにパルス発生部２３１を制御する。パルスデューティ（デューティ比）が一定であるため、バッテリ２０の放電に従い、パルス発生部２３１の出力するパルスのパルス電圧は低下する。すると、パルス電圧の低下に伴ってパルスの平均電圧も低下するから、回転数が徐々に低下する。
【００４７】
デューティ決定部２３２が、回転数が高回転領域Ｈの下限値（第１の回転数）である７５０００ｒｐｍに達することを、回転数検出部２５を通じて検出する（期間Ｔ１の終了）と、次の目標回転数を低回転領域Ｌの上限（第２の回転数）である７１０００ｒｐｍに設定する。
【００４８】
デューティ決定部２３２はパルスデューティ（デューティ比）を低下させる（期間Ｔ２）。回転数の低下により、回転数検出部２５の検出した回転数が７１０００ｒｐｍとなると、次にそのパルスデューティ（デューティ比）を維持する（期間Ｔ３の開始）。図４の例では、その際のパルスデューティ（デューティ比）は７６％であった。なお、期間Ｔ３の開始時のパルスデューティ（デューティ比）は、回転数検出部２５の検出結果に合わせて決める必要はなく、あらかじめ定めた値としてもよい。
【００４９】
期間Ｔ３において、デューティ決定部２３２は期間Ｔ３の当初のパルスデューティ（デューティ比）を維持するようにパルス発生部２３１を制御する。パルスデューティ（デューティ比）が一定であるため、バッテリ２０の放電に従い、パルス発生部２３１の出力するパルスのパルス電圧は低下する。すると、パルス電圧の低下に伴ってパルスの平均電圧も低下するから、回転数が徐々に低下する。
【００５０】
実施形態２においても、バッテリ２０の出力電圧の変動に係わらず、電動送風機２４のモータ２４１から耳障りな不快音が発生することが抑制される。従って使用するユーザの不快感が抑制された、バッテリにより駆動される電気掃除機１を実現することができる。
【００５１】
実施形態１においては、なるべく吸引力を一定とするために、各期間において徐々にパルスデューティ（デューティ比）を上昇させる制御を行った。一方実施形態２においては、高回転領域Ｈでの運転の期間Ｔ１及び低回転領域Ｌでの運転の期間Ｔ３のそれぞれにおいて、パルスデューティ（デューティ比）が、各期間の当初において目標回転数が実現されたときの値に固定される。従って、期間中にパルスデューティ（デューティ比）が高い値に上昇していくことは無く、パルスデューティ（デューティ比）の値によっては、その分バッテリ容量の消費が、実施形態１と比較すると抑制される。従って、実施形態２においては、より長時間の運転が可能なバッテリ駆動式の電気掃除機が実現される。
【００５２】
〔実施形態３〕
図５は、実施形態３に係る電気掃除機の機能ブロックを示した図である。実施形態１に係る電気掃除機１と比較すると、実施形態３に係る電気掃除機は、報知部２７を備えている点が異なる。報知部２７は、デューティ決定部２３２から指令を受けて、ユーザに情報の報知を行う機能ブロックである。なお、図５においては、実施形態１における操作部２６を備えていないが、実施形態３に係る電気掃除機は、これを備えているものであってもよい。
【００５３】
図３の実施形態１の電気掃除機１の高回転領域Ｈにおける動作において、一旦パルスデューティ（デューティ比）が最大値９０％に達して目標回転数が下げられた後の各ステップ（期間Ｔ３と期間Ｔ５）におけるパルスデューティ（デューティ比）の推移は、各ステップにおいて同様となる。それぞれの目標回転数のステップにおいて、パルスデューティ（デューティ比）が最大値９０％に達した後、目標回転数を同量の一定値下げたところから開始しているからである。
【００５４】
実施形態３の電気掃除機は、この点に着目したものであり、一旦パルスデューティ（デューティ比）が最大値に達して目標回転数が下げられた後のステップ（期間Ｔ３と期間Ｔ５）において、特徴的な動作を実行するものである。図６のタイムチャートを参照して、実施形態３に係る電気掃除機の動作を説明する。図６は図３と同様のタイムチャートである。
【００５５】
電動送風機２４への塵埃の吸入を防止するためのフィルタ（フィルタ収納部１５１内に設置）が目詰まりした場合、あるいは、例えば、布を吸い込んで吸込口１９４が閉じられた状態（閉塞状態）になった場合には、電動送風機２４のモータ２４１の負荷が軽減して回転数が上昇しようとする。一定の目標回転数に維持するようにフィードバック制御を行っている場合にあっては、デューティ決定部２３２は、回転数を維持するためにパルスデューティ（デューティ比）を低下させる。パルスデューティ（デューティ比）が低下するように示されている、図６の期間Ｔ３におけるＴ３ａ、期間Ｔ５におけるＴ５ａは、そのような現象を概念的に示している。また、パルスデューティ（デューティ比）が増加するように示されている、図６の期間Ｔ３におけるＴ３ｂ、期間Ｔ５におけるＴ５ｂは、ユーザの対処によりそのような現象が解消し、通常の状況に復帰する状態を概念的に示している。
【００５６】
図６の期間Ｔ３及びＴ５におけるＤ１は、フィルタの交換やフィルタ清掃、あるいは吸込口１９４を塞ぐ物体の除去を必要とするような目詰まりの状態（閉塞度）に相当するパルスデューティ（デューティ比）値を示している。デューティ決定部２３２は、期間Ｔ３または期間Ｔ５において、決定したパルスデューティ（デューティ比）がＤ１以下になると、報知部２７に指示して、フィルタの交換や清掃、あるいは吸込口１９４を塞ぐ物体の除去が必要となったことをユーザに報知する。報知の方法は具体的にはランプ点灯で示すことが挙げられる。
【００５７】
更に、フィルタの目詰まりがひどくなると、あるいは、吸い込んだ物体により吸込口１９４が塞がれてしまうと、塵埃の吸引を行うことが困難となる。そのような場合に、強制的に電気掃除機の運転が停止するように制御することも可能である。図６の期間Ｔ３及びＴ５におけるＤ２は、そのような塵埃の吸引を継続することが困難となる状態に相当するパルスデューティ（デューティ比）値を示している。Ｄ２は当然にＤ１よりも小さい値である。
【００５８】
デューティ決定部２３２は、期間Ｔ３または期間Ｔ５において、決定したパルスデューティ（デューティ比）がＤ２以下になると、報知部２７に指示して、フィルタの交換が必要となったことをユーザに報知する。またその際、デューティ決定部２３２は、パルス発生部２３１を制御してパルスの発生を停止する。
【００５９】
実施形態３においても上記実施形態１と同様の効果が得られる。更に、フィルタの交換や清掃、あるいは吸込口１９４を塞ぐ物体の除去が必要な状況になったことをユーザが認識でき、ユーザの利便性が高まる。また強制的に電気掃除機の運転を停止することにより、塵埃の吸引を行うことが困難であるのに動作し続けることが無くなる。よって、ユーザはフィルタの即時の交換が必要なことを認識でき、ユーザの利便性が更に高まる。
【００６０】
〔ソフトウェアによる実現例〕
電気掃除機１の機能ブロック（特にデューティ決定部２３２）は、集積回路（ＩＣチップ）等に形成された論理回路（ハードウェア）によって実現してもよいし、ソフトウェアによって実現してもよい。
【００６１】
後者の場合、電気掃除機１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６２】
〔まとめ〕
本発明の態様１に係る電気掃除機は、モータを有する電動送風機と、バッテリと、前記バッテリからの出力をＰＷＭ制御して前記モータに供給する制御部と、前記モータの回転数を検出する回転数検出部とを備え、前記制御部には、前記ＰＷＭ制御されたパルス電圧を発生するパルス発生部と、前記回転数検出部からの前記回転数を示す信号を参照してパルスデューティを決定し、前記パルス発生部を制御するデューティ決定部と、が設けられ、前記デューティ決定部は、前記モータの回転数が、第１の回転数以上である高回転領域と、前記第１の回転数より小さい第２の回転数以下である低回転領域の範囲内になるように前記パルス発生部を制御する構成を備える。
【００６３】
上記の構成によれば、バッテリを電動送風機の電源として用いる電気掃除機において、バッテリの出力電圧の変化に伴い生じ得る耳障りな不快音の発生を低減できる電気掃除機が実現できる。
【００６４】
本発明の態様２に係る電気掃除機は、上記態様１において、前記デューティ決定部が、前記モータの回転数が前記高回転領域内となるように前記パルス発生部を制御し、前記バッテリの出力電圧の低下に伴って、前記モータの回転数が前記第１の回転数以上を保てなくなった場合に、前記モータの回転数が前記低回転領域内となるように前記パルス発生部を制御する構成を備えていてもよい。
【００６５】
上記の構成によれば、バッテリを電動送風機の電源として用いる電気掃除機において、放電によるバッテリの出力電圧の低下に伴い生じ得る耳障りな不快音の発生を低減できる電気掃除機が実現できる。
【００６６】
本発明の態様３に係る電気掃除機は、上記態様２において、前記デューティ決定部が、前記高回転領域内の制御から、前記低回転領域内の制御への移行を、前記モータの回転数が徐々に変化するように前記パルス発生部を制御して実行する構成を備えていてもよい。
【００６７】
上記の構成によれば、回転数の急激な変化によってユーザの違和感が生じることを抑制する電気掃除機を実現することができる。
【００６８】
本発明の態様４に係る電気掃除機は、上記態様１から３のいずれかにおいて、前記デューティ決定部が、前記モータの回転数が一定値となるように前記パルス発生部を制御するとともに、前記バッテリの出力電圧の低下に伴って、前記モータの回転数が前記一定値を保てなくなった場合に、前記モータの回転数が前記一定値よりも低い他の一定値となるように前記パルス発生部を制御する構成を備えていてもよい。
【００６９】
上記の構成によれば、バッテリの出力電圧の低下に伴いステップ状に電動送風機のモータの回転数を低下させつつも、できる限り一定の強い吸引力を発揮し得る制御を行う電気掃除機を実現することができる。
【００７０】
本発明の態様５に係る電気掃除機は、上記態様１から３のいずれかにおいて、前記デューティ決定部が、パルスデューティが一定値となるように前記パルス発生部を制御するとともに、前記バッテリの出力電圧の低下に伴って、前記モータの回転数が前記第１の回転数以上を保てなくなった場合に、前記モータの回転数が前記低回転領域内となる、パルスデューティが前記一定値よりも低い他の一定値となるように前記パルス発生部を制御する構成を備えていてもよい。
【００７１】
上記の構成によれば、耳障りな不快音の発生を低減できつつ、バッテリの消費を抑制し長時間運転し得る電気掃除機を実現することができる。
【００７２】
本発明の態様６に係る電気掃除機は、上記態様１から５のいずれかにおいて、前記モータの回転数の制御目標が、前記第１の回転数以上である強モードと、前記第２の回転数以下である弱モードとを有しており、前記強モードまたは前記弱モードを指示するユーザ操作を受け付けて、前記デューティ決定部に伝達する操作部を更に備えていてもよい。
【００７３】
上記の構成によれば、不快音に対して敏感なユーザの違和感をも解消し得るように作用し得る。
【００７４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００７５】
１  電気掃除機
１１  バッテリユニット
１２  ハンドル
１３  駆動装置収容部
１４  電動送風機収容部
１５  集塵部
１５１  フィルタ収納部
１５２  集塵容器
１６  吸引管部
１７  延長管
１９  吸込口体
１９１  管状接続部
１９２  関節部
１９３  吸込口本体
１９４  吸込口
１９５  回転ブラシ
２０  バッテリ
２１  駆動用電源回路
２２  制御用電源回路
２３  制御部
２３１  パルス発生部
２３２  デューティ決定部
２４  電動送風機
２４１  モータ
２４２  ファン
２５  回転数検出部
２６  操作部
２７  報知部
【図１】
2020178915.tif 000003
【図２】
2020178915.tif 000004
【図３】
2020178915.tif 000005
【図４】
2020178915.tif 000006
【図５】
2020178915.tif 000007
【図６】
2020178915.tif 000008